(57)【要約】【課題】押しボタンの作動が極めて円滑で、故障の発生も少ないゲーム機器などでの使用に適する押しボタンスイッチを提供する。【解決手段】底面部を備え、上面にて開口してなる外筒部材；頂部に拡大された周縁部を持つ面状押圧部を備えたロッド、そして該面状押圧部の周縁部から、ロッドの外周面の外側に筒状空隙を介して下方に伸びる内筒部を含む、上記外筒部材の内部に収容された押しボタン；上記筒状空隙に配置された上昇力付勢部材；そして上記外筒部材の底面部の上記ロッドの下面に対向する位置に付設された接触スイッチを含み、上記ロッドの内筒部の外周面に形成され、複数の球体を、外筒部材の内周面との接触下での無限循環が可能なように収容している球体循環溝を含むことを特徴とする押しボタンスイッチ。上昇力付勢部材は、押しボタンの底部に備えられていてもよい。【選択図】図６
2020027093.tif 000002
【特許請求の範囲】
【請求項１】
底面部を備え、上面にて開口してなる外筒部材；頂部に拡大された周縁部を持つ面状押圧部を備えたロッド、そしてこの面状押圧部の周縁部から、ロッドの外周面の外側に筒状空隙を介して下方に伸びる内筒部を含む、上記外筒部材の内部に収容された押しボタン；上記筒状空隙に配置された上昇力付勢部材；そして上記外筒部材の底面部の上記ロッドの下面に対向する位置に付設された接触スイッチを含み、上記ロッドの内筒部の外周面に形成され、複数の球体を、外筒部材の内周面との接触下での無限循環が可能なように収容している球体循環溝を含むことを特徴とする押しボタンスイッチ。
【請求項２】
ロッドの頂部の面状押圧部の周縁もしくは内筒部の底部に外筒部材との一時的な係合を可能にする係合手段が備えられている請求項１に記載の押しボタンスイッチ。
【請求項３】
押しボタンの内筒部に３乃至６の球体循環溝が形成されている請求項１に記載の押しボタンスイッチ。
【請求項４】
上記面状押圧部の上面が、押しボタンの中心軸に対して垂直もしくは傾斜した平面を持つ請求項１記載の押しボタンスイッチ。
【請求項５】
上昇力付勢部材がコイルバネもしくは板バネである請求項１に記載の押しボタンスイッチ。
【請求項６】
上記球体循環溝が、球体の外筒部材の内周面との接触下の移動を可能にする球体接触移動路、球体の外筒部材の内周面との非接触状態での移動を可能にする球体非接触移動路、そして球体接触移動路と球体非接触移動路のそれぞれの端部を互いに連結する半円状連結路を含む請求項１に記載の押しボタンスイッチ。
【請求項７】
請求項１に記載の押しボタンスイッチが装着されたゲーム機器の操作盤。
【請求項８】
底面部を備え、上面にて開口してなる外筒部材；この外筒部材の内部に収容されている、頂部に面状押圧部を備えてなる押しボタン；この押しボタンの底部に備えられた下方に伸びるロッド；このロッドの周囲に配置された上昇力付勢部材；そして上記外筒部材の底面部の上記ロッドの下面に対向する位置に付設された接触スイッチを含み、上記押しボタンの外周面に形成され、複数の球体を、外筒部材の内周面との接触下での無限循環が可能なように収容している球体循環溝を含むことを特徴とする押しボタンスイッチ。
【請求項９】
押しボタンの外周底部に外筒部材との一時的な係合を可能にする係合手段が備えられている請求項８に記載の押しボタンスイッチ。
【請求項１０】
押しボタンに３乃至６の球体循環溝が形成されている請求項８に記載の押しボタンスイッチ。
【請求項１１】
上記面状押圧部の上面が、押しボタンの中心軸に対して垂直もしくは傾斜した平面を持つ請求項８に記載の押しボタンスイッチ。
【請求項１２】
上昇力付勢部材がコイルバネもしくは板バネである請求項８に記載の押しボタンスイッチ。
【請求項１３】
上記球体循環溝が、球体の外筒部材の内周面との接触下の移動を可能にする球体接触移動路、球体の外筒部材の内周面との非接触状態での移動を可能にする球体非接触移動路、
そして球体接触移動路と球体非接触移動路のそれぞれの端部を互いに連結する半円状連結路を含む請求項８に記載の押しボタンスイッチ。
【請求項１４】
請求項８に記載の押しボタンスイッチが装着されたゲーム機器の操作盤。
【発明の詳細な説明】
【技術分野】
【０００１】
本発明は、押しボタンスイッチに関し、ゲーム機器にケーブルを介して接続し、操作者によるゲームの進行に関する指示をゲーム機器に伝達するために用いられる操作盤に装着した状態で好適に用いられる押しボタンスイッチに関する。
【背景技術】
【０００２】
近年、ディスプレイを備えたゲーム機器に、操作者（遊戯者）のゲームの進行に関する指示を与えるための操作ハンドル（ジョイスティック）と共に押しボタンスイッチを装着した操作盤をケーブルを介して接続させたゲーム操作システムが一般的に利用されるようになっている。このようなゲーム操作システムでは、ゲームの進行に応じて、遊戯者がジョイスティックを操作したり、押しボタンスイッチを押すことにより、ゲームの進行が指示される。【０００３】
添付図面の図１に、ゲーム機器に接続される操作盤の一般的な構成例を示す。図１において、操作盤１は、上面にジョイスティック２と複数個の押しボタンスイッチ３とが装着された薄厚の箱体の構成にある。【０００４】
図２は、図１に示した押しボタンスイッチ３の一般的な内部構造を示す。図２において、押しボタンスイッチ３は、底面部を備え、上面にて開口している外筒部材４；外筒部材４の内部に収容されている、頂部に面状押圧部（押圧付与面）５ａを備えたロッド５と面状押圧部５ａの周縁部からロッド５の外周面の外側に、筒状空隙６を介して下方に伸びた内筒部材７を含む押しボタン８；押しボタン８のロッド５の外周面の外側の筒状空隙６に配置された上昇力付勢部材（例、コイルバネ）９；そして外筒部材４の底面のロッド５の下方位置に付設されている接触スイッチ１０を含む。
そして、図２の押しボタンスイッチ３の内筒部７の下端部には、外筒部材４の下方位置に形成された開口部４ａと係合することにより、上昇力付勢部材９から与えられる上昇力による内筒部７の上昇を制限するための係止部７ａが形成されている。【０００５】
特許文献１には、基本的には上記の図２と同様の構成を持つテレビゲーム機用の操作ボタン（すなわち、押しボタンスイッチ）に関する考案が開示されている。この特許文献１に開示の考案は、テレビゲーム機の使用中にプログラムの変更をする場合に、不要となった操作ボタンを簡単に操作できないようにし、また再度のプログラムの変更により、この一旦不要となった操作ボタンを使用する場合に容易にその再準備ができるようにした操作ボタンの盲蓋に関する考案である。【０００６】
特許文献２にも、基本的には上記の図２と同様の構成を持つゲーム機用のボタン式入力装置（すなわち、押しボタンスイッチ）に関する発明が開示されているが、この特許文献２に開示の発明は、押しボタンスイッチに特定の構造のカバーを付設して、メンテナンスの頻度の軽減を可能にした入力装置の発明である。【０００７】
添付の図１と図２に示したような構成のゲーム機用の操作盤の押しボタンスイッチは、ゲームの操作者（遊戯者）が、ディスプレイ面に表示されるゲームを迅速かつ確実に進行させることができるようにするために、常に円滑かつ安定な作動状態を維持することが要求される。例えば、高い集中状態と強い興奮状態にある遊戯者（操作者）が押しボタンに与える操作条件の変動（例えば、押しボタンに与える押圧の変動や押圧の付与角度の変動）に拘わらず、安定かつ円滑なスイッチ操作が実現することが要求される。【０００８】
図２に示した構造の一般的な押しボタンスイッチでは、押しボタン８の面状押圧部５ａを押すことにより、押しボタン８が上昇力付勢部材９の抵抗を押しのけて下降し、その結果、接触スイッチ１０が押し下がることにより、接触スイッチ１０の下側に付設されているスイッチ回路（図示せず）におけるスイッチ動作（電気回路の開閉動作等）が行われる。従って、押しボタンに付与される押圧の強度や角度の変動により、押しボタンは僅かではあるが傾斜しながら下降あるいは上昇する場合があり、このような場合には押しボタンの円滑な下降や上昇が妨げられやすい。そして、このような押しボタンの円滑な下降や上昇に関する不具合が発生した場合には、ゲーム機への迅速かつ確実な指示が実現しにくくなるため、そのような不具合が発生しやすい押しボタンスイッチが装着されたゲーム機器の操作盤は好ましくない。
【先行技術文献】
【特許文献】
【０００９】
【特許文献１】登録実用新案公報第３００１８５２号
【特許文献２】特開２０１６−１８６３３公報
【発明の概要】
【発明が解決しようとする課題】
【００１０】
従って、本発明の目的は、押しボタンへの押圧角度の変動や押圧力の変動などの押圧条件の様々な変動によっても、迅速かつ確実なスイッチ操作の実現を可能にする押しボタンスイッチを提供することにある。
【課題を解決するための手段】
【００１１】
本発明の発明者は、上記の目的を実現するために通常使用されている押しボタンスイッチの基本構成を大きく変えること無く、迅速かつ確実なスイッチ作動の実現を可能にする押しボタンスイッチの開発を目的として研究を行った結果、以下に述べる新規な構成の押しボタンスイッチの開発に成功した。【００１２】
本発明は第一に、底面部を備え、上面にて開口してなる外筒部材；頂部に拡大された周縁部を持つ面状押圧部を備えたロッド、そしてこの面状押圧部の周縁部から、ロッドの外周面の外側に筒状空隙を介して下方に伸びる内筒部を含む、上記外筒部材の内部に収容された押しボタン；上記筒状空隙に配置された上昇力付勢部材；そして上記外筒部材の底面部の上記ロッドの下面に対向する位置に付設された接触スイッチを含み、上記ロッドの内筒部の外周面に形成され、複数の球体を、外筒部材の内周面との接触下での無限循環が可能なように収容している球体循環溝を含むことを特徴とする押しボタンスイッチ（第一の態様）にある。【００１３】
本発明の第一の態様の押しボタンスイッチの好ましい構成を以下に記載する。
（１）ロッドの頂部に備えられた面状押圧部の上面がロッドの中心軸に対して垂直の平面である。
（２）ロッドの頂部に備えられた面状押圧部の上面がロッドの中心軸に対して傾斜した平面である。【００１４】
（３）ロッドの頂部の面状押圧部の周縁もしくは内筒部の底部に外筒部材との一時的な係合を可能にする係合手段が備えられている。
（４）上昇力付勢部材がコイルバネである。【００１５】
（５）球体循環溝が、球体の外筒部材の内周面との接触下の移動を可能にする球体接触移動路、球体の外筒部材の内周面との非接触状態での移動を可能にする球体非接触移動路（球体帰還路）、そして球体接触移動路と球体非接触移動路のそれぞれの端部を互いに連結する半円状連結路を含む。
（６）押しボタンの内筒部に３以上、好ましく３乃至６の球体循環溝が形成されている。【００１６】
上記の本発明の第一の態様の押しボタンスイッチに装着されている上昇力付勢部材は、押しボタンの内側ではなく、押しボタンの下部に装着することもできる。【００１７】
従って、本発明は第二に、底面部を備え、上面にて開口してなる外筒部材；この外筒部材の内部に収容されている、頂部に面状押圧部を備えてなる押しボタン；この押しボタンの底部に備えられた下方に伸びるロッド；このロッドの周囲に配置された上昇力付勢部材；そして上記外筒部材の底面部の上記ロッドの下面に対向する位置に付設された接触スイッチを含み、上記押しボタンの外周面に形成され、複数の球体を、外筒部材の内周面との接触下での無限循環が可能なように収容している球体循環溝を含むことを特徴とする押しボタンスイッチ（第二の態様）にもある。【００１８】
本発明の第二の態様の押しボタンスイッチの好ましい構成を以下に記載する。
（１）押しボタンの頂部に備えられた面状押圧部の上面がロッドの中心軸に対して垂直の平面である。
（２）押しボタンの頂部に備えられた面状押圧部の上面がロッドの中心軸に対して傾斜した平面である。【００１９】
（３）押しボタンの底部に外筒部材との一時的な係合を可能とする係合手段が備えられている。
（４）上昇力付勢部材がコイルバネである。【００２０】
（５）球体循環溝が、球体の外筒部材の内周面との接触下の移動を可能にする球体接触移動路、球体の外筒部材の内周面との非接触状態での移動を可能にする球体非接触移動路（球体帰還路）、そして球体接触移動路と球体非接触移動路のそれぞれの端部を互いに連結する半円状連結路を含む。
（６）押しボタンに３以上、好ましく３乃至６の球体循環溝が形成されている。【００２１】
本発明はまた、上記第一の態様及び第二の態様の押しボタンスイッチのいずれかが装着されたゲーム機器の操作盤にもある。
【発明の効果】
【００２２】
本発明の押しボタンスイッチは、押しボタンのロッドの周囲の内筒部の外周面（第一の態様）もしくは押しボタンの外周面自体（第二の態様）に形成され、複数の球体を外筒部材の内周面との接触下での無限循環が可能なように収容している球体循環溝を含む構成が採用されているため、この球体循環溝に収容された複数の球体の無限循環により、押しボタンの下降／上昇によるスイッチ操作が極めて円滑に行われ、また繰り返しのスイッチ操作によっても故障の発生が少ないため、操作性と信頼性とが極めて優れた押しボタンスイッチとなる。
【図面の簡単な説明】
【００２３】
【図１】ゲーム機器に接続されるジョイスティックと押しボタンスイッチとを備える一般的な操作盤の構成例（従来例）を示す。なお、図１には、一個の押しボタンスイッチを操作盤から取り出した状態で示されている。
【図２】図１に示したゲーム機器の押しボタンスイッチの構成例（従来例）を示す断面図である。
【図３】本発明の第一の態様に従う押しボタンスイッチの外観の例を示す斜視図である。
【図４】図３の押しボタンスイッチの内部の構成を示す正面断面図である。但し、内筒部、球体無限循環溝、球体、上昇力付勢部材、そして接触スイッチについては、それぞれ正面図として図示している。
【図５】図４の押しボタンスイッチの押しボタンが押し下げられた状態（スイッチが入った状態）の構成を示す正面断面図である。内筒部、球体無限循環溝、球体、上昇力付勢部材、そして接触スイッチについてはそれぞれ、図４と同様に、正面図として図示している。
【図６】図３の押しボタンスイッチの正面断面図である。
【図７】図３の押しボタンスイッチの内筒に形成された球体無限循環溝の球体接触移動路と球体非接触移動路の位置を示す水平断面図である。
【図８】図３の押しボタンスイッチの内筒に形成された球体無限循環溝の球体接触移動路と球体非接触移動路との間の位置関係を示す水平断面図である。
【図９】図３の押しボタンスイッチの構成部材を示す分解図である。
【図１０】本発明に従う押しボタンスイッチの他の構成例の断面図を示す。
【図１１】図１０に示した押しボタンスイッチの使用態様（計数装置）の例を示す斜視図である。
【図１２】図１１に示した計数装置で用いられている押しボタンスイッチの作動状態を示す正面部分断面図であり、（Ａ）は、計数対象の物品の接触待ち状態にある押しボタンスイッチを示し、（Ｂ）は、計数対象の物品の接触下の状態（計数状態）にある押しボタンスイッチを示す。
【図１３】本発明の第二の態様に従う押しボタンスイッチの構成を示す正面断面図である。ここで使用されている上昇力付勢部材は、コイルスプリングである。
【図１４】本発明の第二の態様に従う押しボタンスイッチの他の構成（上昇力付勢部材として板バネを使用）を示す正面断面図である。
【発明を実施するための形態】
【００２４】
次に、本発明の押しボタンスイッチを、添付図面の図３乃至図１４を参照しながら詳しく説明する。
【００２５】
図３は、本発明の第一の態様に従う押しボタンスイッチ３の斜視図を示し、図４は、図３の押しボタンスイッチ３の内部構造が理解されるように描いた正面断面図である。但し、図４では、内筒部、球体無限循環溝、球体、上昇力付勢部材、そして接触スイッチについては、それぞれ正面図として図示している。図５は、図３の押しボタンスイッチの押しボタンが押し下げられた状態（スイッチが入った状態）の構成を示す正面断面図であり、内筒部、球体無限循環溝、球体、上昇力付勢部材、そして接触スイッチについてはそれぞれ、図４と同様に、正面図として図示している。図６は、図３の押しボタンスイッチの正面断面図である。
【００２６】
図７は、図３の押しボタンスイッチの内筒に形成された球体無限循環溝の球体接触移動路と球体非接触移動路の位置を示す水平断面図であり、図８は、図３の押しボタンスイッチの内筒に形成された球体無限循環溝の球体接触移動路と球体非接触移動路との間の好ましい位置関係を表す水平断面図である。
【００２７】
本発明の第一の態様に従う押しボタンスイッチも、図２に示した一般的に使用されている押しボタンスイッチと同様な基本構成を持っている。すなわち、本発明の第一の態様に従う押しボタンスイッチ３は、外筒部材４；頂部に面状押圧部５ａ（拡大された周縁部を持つ面状押圧部）を備えたロッド５（図７参照）と面状押圧部５ａの周縁部からロッド５の外周面の外側に、筒状空隙６を介して下方に伸びた内筒部７を含む、外筒部材４の内部に収容された押しボタン８；押しボタン８のロッド５の外周面の外側の筒状空隙６に配置された上昇力付勢部材９；そして外筒部材４の底面上のロッド５の下方位置に付設された接触スイッチ１０を含む。そして、図２の一般的な押しボタンスイッチと同様に、ボタンスイッチ３の内筒部７の下端部には、外筒部材４の下方位置に形成された開口部４ａと係合することにより、上昇力付勢部材９から与えられる上昇力による内筒部７の上昇高さを制限するための係止部７ａが形成されている。
【００２８】
外筒部材、そして面状押圧部と内筒部を含む押しボタンは、金属製であっても、合成樹脂製であってもよい。上昇力付勢部材としては、通常はコイルバネが利用されるが、板バネであってもよく、またゴムなどの他の弾性材料から製造されたものであってもよい。
【００２９】
本発明の第一の態様に従う押しボタンスイッチの特徴は、上記の内筒部７の周面に形成され、複数の球体１１を、外筒部材４の内周面との接触下での無限循環が可能なように収容している球体循環溝１２を含むことにある。
【００３０】
球体循環溝１２は、球体１１の外筒部材の内周面との接触下の回転移動を可能にする球体接触移動路１２ａ、球体１１の外筒部材の内周面との非接触状態での移動を可能にする球体非接触移動路（球体帰還路）１２ｂ、そして球体接触移動路１２ａと球体非接触移動路１２ｂのそれぞれの端部を互いに連結する半円状連結路１２ｃ、１２ｄを含むことが好ましく、内筒部に三本以上の球体循環溝、特に三本乃至六本の球体循環溝が形成されていることが好ましい。なお、図４乃至７に示されている内筒部７に形成されている球体循環溝は四本である。球体はボールベアリングとして一般的に利用されている鋼球であってもよく、あるいは軽量化を意図して硬質もしくは軟質の合成樹脂材料の成形により製造した球体であってもよい。
【００３１】
また、図７に示されているように、球体循環溝１２の球体接触移動路１２ａに収容されている球体の中心点とロッド５の中心軸との距離ｘが、球体非接触移動路（球体帰還路）１２ｂに収容されている球体１１の中心点とロッド５の中心軸との距離ｙよりも大きいこと（ｘ＞ｙ）が好ましく、また、球体１１の円滑な無限循環、そして押しボタン３の円滑な作動、すなわち、押圧された押しボタン３の外筒内面に沿う円滑な下降と、押圧から解除された押しボタン３の外筒内面に沿う円滑な上昇とが実現する。
【００３２】
さらに、図８に示されているように、断面の上部が長方形で底部が半円状の球体接触移動路１２ａの中心点（半円状底部の中心点）と該球体接触移動路１２ａの最低位置とを結ぶ仮想線Ｌ1に対してロッド５の軸中心点Ｐから仮想線Ｌ2を直角に交差するように伸ばした場合の交点（仮想線Ｌ1と仮想線Ｌ2の交点）Ｑ1までの距離（ａ）が、断面の上部が長方形で底部が半円状の球体接触移動路１２ｂの中心点（半円状底部の中心点）と該球体接触移動路１２ｂの最低位置とを結ぶ仮想線Ｌ3に対してロッド５の軸中心点Ｐから仮想線Ｌ4を直角に交差するように伸ばした場合の交点（仮想線Ｌ3と仮想線Ｌ4との交点）Ｑ2までの距離（ｂ）よりも大きい（ａ＞ｂ）ことが好ましい。そして、球体接触移動路１２ａの中心点からＱ1迄の距離（ｃ）が、球体接触移動路１２ｂの中心点からＱ2迄の距離（ｃ）が同一であることが好ましい。このような構成とすることにより、球体循環溝の球体接触移動路と球体非接触移動路（球体帰還路）の形成が容易となる。
【００３３】
本発明の第一の態様の例である図３の押しボタンスイッチの構成部材を示す分解図を図９に示す。図６の正面断面図と図９の分解図から理解できるように、図３の押しボタンスイッチ（第一の態様の押しボタンスイッチ）は、下記の部材から構成されている。
１）底面部を備え、上面にて開口してなる外筒部材４
２）頂部に拡大された周縁部を持つ面状押圧部を備えたロッド５、そしてその面状押圧部の周縁部から、ロッド５の外周面の外側に筒状空隙６を介して下方に伸びる内筒部７を含む押しボタン（この押しボタンは、外筒部材４の内部に収容される）
３）筒状空隙６に配置される上昇力付勢部材９（図９ではコイルバネ）
４）外筒部材４の底面部のロッド５の下面に対向するの位置に付設される接触スイッチ１０。
【００３４】
そして、内筒部７の外周面には、複数の球体１１を、外筒部材４の内周面との接触下での無限循環が可能なように収容することのできる球体循環溝１２ｃが含まれる。
【００３５】
なお、ロッド５の頂部の面状押圧部の周縁もしくは内筒部の底部に外筒部材との一時的な係合を可能にする係合手段（例、内筒部７の底部の突起７ａと外筒部材の孔部４ａ）が備えられていることが好ましい。
【００３６】
図１０は、本発明に従う押しボタンスイッチを、計数装置での使用に好適なように構成した例を示す。
この図１０に示した計数装置で用いられている押しボタンスイッチ３もまた、本発明の第一の態様に従う押しボタンスイッチの実施例に相当し、外筒部材４に収容されている、頂部に押しボタン８の軸に対して傾斜した平面を持つ面状押圧部５ａを備えたロッド５と面状押圧部５ａの周縁部からロッド５の外周面の外側に、筒状空隙を介して下方に伸びた内筒部７を含む押しボタン８；押しボタン８のロッド５の外周面の外側の筒状空隙に配置された上昇力付勢部材９；そして外筒部材４の底面上のロッド５の下方位置に付設された接触スイッチ１０を含む押しボタンスイッチである。そして、内筒部７の周面に形成され、複数の球体１１を、外筒部材４の内周面との接触下での無限循環が可能なように収容している四本の球体循環溝１２を含む。
【００３７】
図１１は、図１０に示した押しボタンスイッチの使用態様（計数装置）の例を示す斜視図である。図１１において、押しボタンスイッチ３は、樋状の物品供給路の表面に上方（図１１では左側）から順次供給されてくるコロ状の物品１４の数を、押しボタン８の頂部の押圧部５ａとの接触により検知し、その検知結果を累計することにより、供給された物品１４の計数を行う装置として利用される。
【００３８】
図１２は、図１１に示した計数装置で用いられている押しボタンスイッチ３の構成を示す正面部分断面図を示し、（Ａ）は、計数対象の物品１４の接触待ち状態にある押しボタンスイッチ３を示し、（Ｂ）は、計数対象の物品１４の接触下の状態にある押しボタンスイッチ３を示す。
【００３９】
図１３は、本発明の第二の態様に従う押しボタンスイッチの構成例を示す正面断面図である。図１３において、押しボタンスイッチ３は、底面部を備え、上面にて開口してなる外筒部材４；該外筒部材４の内部に収容されている、面状押圧部を頂部に備えてなる押しボタン８；該押しボタン８の底部に備えられた下方に伸びるロッド１３；ロッド１３の周囲に配置された上昇力付勢部材（図１３では、コイルバネ）９；そして外筒部材４の底面部のロッド１３の下面に対向する位置に付設されている接触スイッチ１０を含み、押しボタン８の外周面に形成され、複数の球体１１を、外筒部材の内周面との接触下での無限循環が可能なように収容している球体循環溝１２を含む。
【００４０】
図１４も、本発明の第二の態様に従う押しボタンスイッチの構成例を示す正面断面図を示す。図１４でも、押しボタンスイッチ３は、底面部を備え、上面にて開口してなる外筒部材４；該外筒部材４の内部に収容されている、頂部に面状押圧部を備えた押しボタン８；押しボタン８の底部に備えられた下方に伸びるロッド１３；ロッド１３の周囲に配置された上昇力付勢部材（但し、図１４では板バネ）９；そして外筒部材４の底面部のロッド１３の下面に対向する位置に付設されている接触スイッチ１０を含み、押しボタン８の外周面に形成され、複数の球体１１を、外筒部材の内周面との接触下での無限循環が可能なように収容している球体循環溝１２を含む。
【００４１】
図１３と図１４に示された本発明の第二の態様の押しボタンスイッチにおける、押しボタン８の外周に形成されている複数の球体１１を外筒部材の内周面との接触下での無限循環が可能なように収容している球体循環溝１２（即ち、本発明の第一の態様と第二の態様において共通する本発明の特徴的構成）に関しては、双方共に共通しているため、それらに付いての改めての説明の記載は省略する。また、各部材の材料等についての改めての説明の記載も省略する。
【符号の説明】
【００４２】
１  ゲーム機の操作盤
２  ジョイスティック
３  押しボタンスイッチ
４  外筒部材
４ａ 開口部
５  ロッド
５ａ  面状押圧部
６  筒状空隙
７  内筒部
７ａ  係止部
８  押しボタン
９  上昇力付勢部材
１０  接触スイッチ
１１  球体
１２  球体循環溝
１２ａ  球体接触移動路
１２ｂ  球体非接触移動路
１２ｃ、１２ｄ  半円状連結路
１３  ロッド
【図１】
2020027093.tif 000003
【図２】
2020027093.tif 000004
【図３】
2020027093.tif 000005
【図４】
2020027093.tif 000006
【図５】
2020027093.tif 000007
【図６】
2020027093.tif 000008
【図７】
2020027093.tif 000009
【図８】
2020027093.tif 000010
【図９】
2020027093.tif 000011
【図１０】
2020027093.tif 000012
【図１１】
2020027093.tif 000013
【図１２】
2020027093.tif 000014
【図１３】
2020027093.tif 000015
【図１４】
2020027093.tif 000016
【国際調査報告】
2020027093.tif 000017
2020027093.tif 000018